(57)【要約】【課題】盲人が杖や足底等によって歩行路を確認することができると共に、弱視者が視覚によって確実かつ迅速に歩行路を確認することができる歩行路の構造を提供する。【解決手段】上面を歩行されて歩行路を形成する歩行路形成材と、所定の色彩を表面の少なくとも一部が有し、該表面が上を向きかつ該歩行路形成材の該上面の一部を覆うように配設される板状部材と、該板状部材を貫通し少なくとも一部が該歩行路形成材に埋設される脚部と、該板状部材の該表面から突出する突出部と、を有する突出部材と、を備えてなる、歩行路の構造である。前記所定の色彩が黄色であってもよい。【選択図】　図２
2004027550.tif 000002
【特許請求の範囲】
【請求項１】
上面を歩行されて歩行路を形成する歩行路形成材と、
所定の色彩を表面の少なくとも一部が有し、該表面が上を向きかつ該歩行路形成材の該上面の一部を覆うように配設される板状部材と、
該板状部材を貫通し少なくとも一部が該歩行路形成材に埋設される脚部と、該板状部材の該表面から突出する突出部と、を有する突出部材と、
を備えてなる、歩行路の構造。
【請求項２】
前記所定の色彩が黄色である、請求項１に記載の歩行路の構造。
【請求項３】
前記所定の色彩が、前記上面の色彩に対して補色の関係である、請求項１又は２に記載の歩行路の構造。
【請求項４】
前記所定の色彩を前記表面の全部が有するものである、請求項１乃至３のいずれかに記載の歩行路の構造。
【請求項５】
前記突出部が、前記脚部が前記板状部材を貫通する孔を通過不可能であり、かつ前記表面に当接するものである、請求項１乃至４のいずれかに記載の歩行路の構造。
【請求項６】
前記脚部の前記歩行路形成材に埋設された部分と、前記歩行路形成材と、の間が接着されたものである、請求項１乃至５のいずれかに記載の歩行路の構造。
【発明の詳細な説明】
【０００１】
【発明の属する技術分野】
本発明は、歩行路の構造に関し、より詳細には、盲人や弱視者に歩行路の所定位置や進行すべき方向をうまく知らせることができる歩行路の構造に関する。
【０００２】
【従来の技術】
図６は、従前から用いられてきた盲人や弱視者に歩行路の位置や進行すべき方向を示すための構造の一例を示す斜視図である。図１では、道路１０１に一直線に沿って埋設された３つのピン１０３を示している。ピン１０３はいずれも、道路１０１に埋設される円柱形の脚部１０３ｂと、脚部１０３ｂの一端に一体的に取り付けられた円錐台形の頭部（突出部）１０３ａと、を有している（なお、該円柱と該円錐台との軸は同一直線上に存する。）。この頭部（突出部）１０３ａは、道路１０１の上面（歩行されて歩行路を形成する。）から上方に突出しており、この突出した頭部（突出部）１０３ａの位置を杖や足底等によって確認することで、盲人や弱視者は歩行路の位置や進行すべき方向（例えば、頭部（突出部）１０３ａが並んでいる方向等によって知ることができる。）を知ることができる。
また、ここでは図示していないが、細長い棒状をした頭部に１又は２以上の脚部（道路に埋設される。）が形成されたもの（以下、「棒状埋設体」という。）も用いられているが、これも同様に細長い棒状をした頭部の位置や形状等を杖や足底等によって確認することで、盲人や弱視者は歩行路の位置や進行すべき方向（例えば、頭部が形成する細長い棒状の長手方向等によって知ることができる。）を知ることができる。
【０００３】
そして、高強度、高耐久性及び良好な外観を得る等のために、ピン１０３や棒状埋設体はステンレス鋼等の金属によって形成されることが多い。
【０００４】
【発明が解決しようとする課題】
しかしながら、ピン１０３や棒状埋設体は、その位置や形状等を杖や足底等によって確認する際にはうまく機能するものであったが、視認性が低いという問題があった。これはピン１０３や棒状埋設体は、歩行路の機能を邪魔しない程度にあまり大きくなくかつあまり突出高さが高くないような寸法にされる必要から（大きさがあまり大きいものや突出高さがあまり高いものは、歩行路の円滑な歩行を妨げる。）、視覚的には目立たないためである。そして、上述のようにピン１０３や棒状埋設体が、ステンレス鋼等の金属によって形成されている場合、金属の鈍い色彩（例えば、ステンレス鋼であれば銀色）から視認性は一層低くなる。
【０００５】
ここに、この視認性の低さは、弱視者の自由な歩行を妨げる。
即ち、全く目が見えない盲人であれば、歩行路の位置や進行すべき方向を視力以外の杖や足底等によって確認する必要があるが、弱視者であれば歩行路の位置や進行すべき方向を知らせる視認性の高い目印があれば、その目印を視力によって確認することができる。視力以外の杖や足底等による確認と視力による確認とは、前者よりも後者の方がはるかに迅速かつ確実に確認することができることから、本来、弱視者は、視認性の高い目印があればその目印を視力により確認し、自由に歩行することができる。
【０００６】
そこで、本発明では、盲人が杖や足底等によって歩行路を確認することができると共に、弱視者が視覚によって確実かつ迅速に歩行路を確認することができる歩行路の構造を提供することを目的とする。
【０００７】
【課題を解決するための手段】
本発明の歩行路の構造（以下、「本構造」という。）は、上面を歩行されて歩行路を形成する歩行路形成材と、所定の色彩を表面の少なくとも一部が有し、該表面が上を向きかつ該歩行路形成材の該上面の一部を覆うように配設される板状部材と、該板状部材を貫通し少なくとも一部が該歩行路形成材に埋設される脚部と、該板状部材の該表面から突出する突出部と、を有する突出部材と、を備えてなる、歩行路の構造である。
【０００８】
本構造は、上述のように、歩行路形成材と板状部材と突出部材とを備えてなる。
ここに「歩行路形成材」とは、上面を歩行されて歩行路（例えば、道路、建物の床、駅のプラットホーム、橋、歩道橋、運動場等）を形成するものであればいかなるものであってもよく何ら限定されるものではないが、例えば、硬化したアスファルト、コンクリート（鉄筋コンクリートを含む）、材木、鋼材、ブロック、レンガ、土、石、タイル等を一例として挙げることができる。
そして、板状部材は、表面の少なくとも一部が所定の色彩を有し、該表面が上を向きかつ歩行路形成材の上面の一部を覆うように配設される。即ち、板状部材は、裏面が歩行路形成材の上面に面し（裏面が下）、表面が上を向くように配置され、歩行路形成材の上面の一部を覆う。この表面の少なくとも一部は、視認性の高い所定の色彩を有する。
さらに、突出部材は脚部と突出部とを有している。脚部は、板状部材を貫通し（板状部材の該表面と該裏面との間を貫通する。）、少なくとも一部が歩行路形成材に埋設される。突出部は、板状部材の該表面から（上方に）突出する。
【０００９】
以上のように本構造は構成されるので、板状部材の表面（少なくとも一部が視認性の高い所定の色彩を有する）から突出部材の突出部が突出しているので、盲人は該突出部を杖や足底等によって確認することができると共に、弱視者は、板状部材の表面の少なくとも一部が有する視認性の高い所定の色彩を視覚によって確認することができる。即ち、本構造に係る歩行路は、盲人が杖や足底等によって歩行路を確認することができると共に、弱視者が視覚によって確実かつ迅速に歩行路を確認することができるものである。
さらに、突出部材の脚部は、板状部材を貫通し少なくとも一部が歩行路形成材に埋設されるので、板状部材の位置を歩行路形成材に対して横方向（板状部材の表面に沿った方向）に関し所定範囲内に制限することができる（脚部が板状部材を貫通する孔に対する脚部の遊びが少なければ、実質的には、板状部材を歩行路形成材に対し固定することができる（板状部材の横方向の移動を実質的に禁止する））。
【００１０】
板状部材の表面の少なくとも一部が有する前記所定の色彩は、弱視者が容易に視認できるように視認性の高い色彩であることが好ましい。前記所定の色彩は、特に限定されるものではないが、例えば、黄色、赤色、青色、緑色等を例示することができ、とりわけ黄色は視認性が高いので好ましい。
また、前記所定の色彩が、歩行路形成材の前記上面の色彩に対して補色の関係であってもよい。こうすることで板状部材の表面の少なくとも一部が有する前記所定の色彩が、板状部材の周りの色彩として認識される歩行路形成材の前記上面の色彩に対して補色の関係になるので、前記所定の色彩が一層目立ち前記所定の色彩の視認性を向上させることができる。
【００１１】
上述のように、板状部材の表面の少なくとも一部が前記所定の色彩を有せば足りるが、前記所定の色彩を（板状部材の）前記表面の全部が有するものであってもよい。
こうすることで、視認性の高い色彩である前記所定の色彩を（板状部材の）前記表面の全部が有するので、前記所定の色彩を有する前記表面の部分が大きくなり前記所定の色彩の視認性を一層向上させることができる。
【００１２】
前記突出部が、前記脚部が前記板状部材を貫通する孔を通過不可能であり、かつ前記表面に当接するものであってもよい。
こうすることで、突出部材の突出部が、突出部材の脚部が板状部材を貫通する孔を通過不可能であるので、突出部材の突出部と歩行路形成材（突出部材の脚部の少なくとも一部が埋設される。）との間に板状部材が保持され、さらに突出部材の突出部が板状部材の前記表面に当接するので、突出部材によって板状部材が固定される。従って、こうすることで板状部材を歩行路形成材又は突出部材に取り付ける等することで板状部材を固定する必要がなくなるか、板状部材を歩行路形成材又は突出部材に取り付け固定するとしても簡単なもので足りる。
【００１３】
前記脚部の前記歩行路形成材に埋設された部分と、前記歩行路形成材と、の間が接着されたものであってもよい。
こうすることで（突出部材の）前記脚部の前記歩行路形成材に埋設された部分と、前記歩行路形成材と、の間が確実かつ強固に固定され、突出部材が歩行路形成材から不意に抜けることを有効に防止できる。
また、前記突出部が、前記脚部が前記板状部材を貫通する孔を通過不可能であり、かつ前記表面に当接する場合であれば、突出部材が板状部材を固定する役割も果たすので、上述のように前記脚部の前記歩行路形成材に埋設された部分と、前記歩行路形成材と、の間を接着するようにすれば、板状部材も確実かつ強固に固定することができる。
【００１４】
【発明の実施の形態】
以下、本発明の実施の形態を図面を参照して説明する。しかしながら、これらによって本発明は何ら制限されるものではない。
【００１５】
図１は一実施形態の本発明の歩行路の構造（本構造）１１を示す平面図であり、図２は図１のＡ−Ａ断面図であり、図３は図２の円Ｂ中の拡大断面図である。図１乃至図３を参照して、一実施形態の本構造１１について説明する。
本構造１１は、建物の床の一部を構成するものであり、該建物が有する部屋への入口位置を盲人及び弱視者に示すために設けられたものである。
本構造１１は、大まかに言えば、鉄筋コンクリート構造によって形成された歩行路形成材たる床本体１３と、床本体１３の上面１３ａの一部を覆うように配設される板状部材２１と、脚部３３と突出部３５とを有する突出部材３１と、を備えてなる。
【００１６】
板状部材２１は、表面２３が略正方形（３０ｃｍ×３０ｃｍ）をしたステンレス鋼製の板状部材によって形成されており、表面２３の全面（全部）に黄色の塗料が塗布されている。板状部材２１には、表面２３が形成する該略正方形の１辺に平行でかつ等間隔に５本引かれた仮想の直線と、該１辺に隣り合う該略正方形の他辺（該１辺と該他辺とによって該略正方形の１角が形成される。）に平行でかつ該等間隔に５本引かれた仮想の直線と、の交点を中心とする２５個の円形の孔２４が穿設されている。孔２４は、脚部３３を少しの遊びによって遊嵌することができると共に、突出部３５が通過できない大きさにされている。
【００１７】
なお、ここでは板状部材２１の表面２３に黄色の塗料を塗布（焼付塗装）することで、所定の色彩たる黄色を表面２３が有するようにされているが、所定の色彩を表面２３が有するようにする方法はこれに限定されるものではなく、板状部材２１の表面２３のみならず裏面も塗料を塗布するようにしても、また、板状部材２１を形成する材質（例えば、樹脂材料）自体が所定の色彩（ここでは黄色）を有するものを用いるようにしても、さらに表面２３に所定の色彩（ここでは黄色）を有するフィルムやシートを貼着するようにしてよいことは言うまでもない。
また、図２及び図３（特に、図２）においては、図示及び理解を容易にするため、板状部材２１の厚みを実際よりも大きく示している。
【００１８】
板状部材２１が有する円形の孔２４のそれぞれには、突出部材３１の脚部３３が嵌入（遊嵌）されている。突出部材３１の脚部３３は、略円柱形をしており、ここでは図示していないが、該略円柱の側面には雄ねじが螺刻されている。この螺刻された雄ねじにより、後述の接着剤４１から脚部３３が不意に抜けることを防止している。そして、突出部材３１の突出部３５は略円錐台形をしており、脚部３３の該略円柱の軸と、突出部３５の該略円錐台形の軸と、は同一直線上に存するよう、脚部３３と突出部３５とは一体的にステンレス鋼によって形成されている。
この突出部材３１の突出部３５は、板状部材２１の表面２３に上方から当接しており（突出部３５の該略円錐台形の底面が表面２３に当接している。なお、図３においては、図示及び理解を容易にするため、突出部３５と表面２３との間には隙間が存しているが、実際には両者は当接している。また、図３においては、図示及び理解を容易にするため、板状部材２１（の裏面）と、床本体１３の上面１３ａと、の間には隙間が存しているが、実際には両者は当接している。）、さらに、突出部３５は、孔２４（脚部３３が板状部材２１を貫通する孔）を通過することができない。
【００１９】
床本体１３には、板状部材２１から下方（図２及び図３に、上を矢印Ｆにて、下を矢印Ｇにて示す。）に向けてのびる脚部３３を収容する円柱形状の凹部１５が形成されている（脚部３３が凹部１５の略中心部分に収容されるような位置に凹部１５は形成されている。）。
そして、凹部１５には、脚部３３と歩行路形成材たる床本体１３との間を接着するように接着剤４１（硬化済）が充填されている。
【００２０】
このような本構造１１は、次のようにして構成することができる。即ち、床本体１３の上面１３ａの所定位置に凹部１５を形成した後、未硬化の接着剤４１を凹部１５に流し込む。そして、床本体１３の上面１３ａの所定位置に板状部材２１（表面２３は黄色の塗料が塗布されている。）を載置し、板状部材２１に穿設された孔２４に突出部材３１の脚部３３を嵌入（遊嵌）し、凹部１５の接着剤４１が硬化することで本構造１１を構成することができる。
【００２１】
以上のように、本構造１１は、上面１３ａを歩行されて歩行路を形成する歩行路形成材たる床本体１３と、所定の色彩である黄色を表面２３の少なくとも一部（ここでは全部）が有し、表面２３が上（図２及び図３において矢印Ｆ方向）を向きかつ歩行路形成材たる床本体１３の上面１３ａの一部を覆うように配設される板状部材２１と、板状部材２１を貫通し少なくとも一部が歩行路形成材たる床本体１３に埋設される脚部３３と、板状部材２１の表面２３から上（図２及び図３において矢印Ｆ方向）に突出する突出部３５と、を有する突出部材３１と、を備えてなる、歩行路の構造である。
また、ここでは前記所定の色彩が黄色であり、前記所定の色彩を表面２３の全部が有する。
そして、ここではそうしていないが、前記所定の色彩が、上面１３ａの色彩に対して補色の関係になるようにしてもよい。
【００２２】
さらに、突出部３５が、脚部３３が板状部材２１を貫通する孔２４を通過不可能であり、かつ突出部３５が表面２３に当接している。
加えて、脚部３３の歩行路形成材たる床本体１３に埋設された部分（脚部３３のうち凹部１５の内部に存する部分）と、歩行路形成材たる床本体１３と、の間が接着剤４１により接着されている。
【００２３】
図４は他の一実施形態の本発明の歩行路の構造（本構造）５１を示す平面図であり、図５は図４のＣ−Ｃ断面図である。図１及び図２を参照して、他の一実施形態の本構造５１について説明する。
本構造５１は、道路（歩道）の一部を構成するものであり、歩道の位置及び進行すべき方向を盲人及び弱視者に示すために設けられたものである。
本構造５１は、大まかに言えば、コンクリート舗装構造によって形成された歩行路形成材たる歩道本体５３と、歩道本体５３の上面５３ａの一部を覆うように配設される板状部材７１と、脚部８３と突出部８５とを有する突出部材８１と、を備えてなる。なお、突出部材８１は、前述した、細長い棒状をした頭部に１又は２以上の脚部（歩道に埋設される。）が形成された棒状埋設体である。
【００２４】
板状部材７１は、前述の板状部材２１に比して、脚部８３を遊嵌させるための円形の孔７４の位置が孔２４と異なるのみであり、その余りは同様である。孔７４は、細長い棒状の突出部８５が板状部材７１の表面７３が形成する該略正方形の１辺に平行になるようにかつ４本の細長い棒状の突出部８５が略等間隔に配設されるような位置に形成されている。孔７４は、脚部８３を少しの遊びによって遊嵌することができると共に、突出部８５が通過できない大きさにされている。
また、図５においては、図示及び理解を容易にするため、板状部材７１の厚みを実際よりも大きく示している。
【００２５】
突出部８５は、長手方向（図４及び図５中、矢印Ｌにて示す。）に対して垂直な断面が台形をした真っ直ぐな細長い棒状をしており、その下面には同方向に向けて突出するように３本の脚部８３が形成されている（突出部８５と３本の脚部８３とは一体的にステンレス鋼により形成されている。）。
そして、板状部材７１が有する円形の孔７４のそれぞれには、突出部材８１の脚部８３が嵌入（遊嵌）されている。突出部材８１の脚部８３は、略円柱形をしており、ここでは図示していないが、該略円柱の側面には雄ねじが螺刻されている。この螺刻された雄ねじにより、後述の接着剤９１から脚部８３が不意に抜けることを防止している。
この突出部材８１の突出部８５は、板状部材７１の表面７３に上方から当接しており（突出部８５の前記下面が表面７３に当接している。）、さらに、突出部８５は、孔７４（脚部８３が板状部材７１を貫通する孔）を通過することができない。
【００２６】
歩道本体５３には、板状部材７１から下方（図５中、上を矢印Ｆにて、下を矢印Ｇにて示す。）に向けてのびる脚部８３を収容する円柱形状の凹部５５が形成されている（脚部８３が凹部５５の略中心部分に収容されるような位置に凹部５５は形成されている。）。
そして、凹部５５には、脚部８３と歩行路形成材たる歩道本体５３との間を接着するように接着剤９１（硬化済）が充填されている。
【００２７】
このような本構造５１は、次のようにして構成することができる。即ち、歩道本体５３の上面５３ａの所定位置に凹部５５を形成した後、未硬化の接着剤９１を凹部５５に流し込む。そして、歩道本体５３の上面５３ａの所定位置に板状部材７１（表面７３は黄色の塗料が塗布されている。）を載置し、板状部材７１に穿設された孔７４に突出部材８１の脚部８３を嵌入（遊嵌）し、凹部５５の接着剤９１が硬化することで本構造５１を構成することができる。
【００２８】
以上のように、本構造５１は、上面５３ａを歩行されて歩行路を形成する歩行路形成材たる歩道本体５３と、所定の色彩（ここでは黄色）を表面７３の少なくとも一部（ここでは表面７３の全部（全面））が有し、表面７３が上（図５において矢印Ｆ方向）を向きかつ歩行路形成材たる歩道本体５３の上面５３ａの一部を覆うように配設される板状部材７１と、板状部材７１を貫通し少なくとも一部が歩行路形成材たる歩道本体５３に埋設される脚部８３と、板状部材７１の表面７３から上（図５において矢印Ｆ方向）に突出する突出部８５と、を有する突出部材８１と、を備えてなる、歩行路の構造である。
【００２９】
また、ここでは前記所定の色彩が黄色であり、前記所定の色彩を表面７３の全部が有する。そして、ここではそうしていないが、前記所定の色彩が、上面５３ａの色彩に対して補色の関係になるようにしてもよい。
さらに、突出部８５が、脚部８３が板状部材７１を貫通する孔７４を通過不可能であり、かつ突出部８５が表面７３に当接している。
加えて、脚部８３の歩行路形成材たる歩道本体５３に埋設された部分（脚部８３のうち凹部５５の内部に存する部分）と、歩行路形成材たる歩道本体５３と、の間が接着剤９１により接着されている。
【図面の簡単な説明】
【図１】一実施形態の本発明の歩行路の構造（本構造）１１を示す平面図である。
【図２】図１のＡ−Ａ断面図である。
【図３】図２の円Ｂ中の拡大断面図である。
【図４】他の一実施形態の本発明の歩行路の構造（本構造）５１を示す平面図である。
【図５】図４のＣ−Ｃ断面図である。
【図６】従前から用いられてきた盲人や弱視者に歩行路の位置や進行すべき方向を示すための構造の一例を示す斜視図である。
【符号の説明】
１１　　　　歩行路の構造（本構造）
１３　　　　床本体
１３ａ　　　（床本体の）上面
１５　　　　凹部
２１　　　　板状部材
２３　　　　（板状部材の）表面
２４　　　　孔
３１　　　　突出部材
３３　　　　脚部
３５　　　　突出部
４１　　　　接着剤
５１　　　　歩行路の構造（本構造）
５３　　　　歩道本体
５３ａ　　　（歩道本体の）上面
５５　　　　凹部
７１　　　　板状部材
７３　　　　（板状部材の）表面
７４　　　　孔
８１　　　　突出部材
８３　　　　脚部
８５　　　　突出部
９１　　　　接着剤
【図１】
2004027550.tif 000003
【図２】
2004027550.tif 000004
【図３】
2004027550.tif 000005
【図４】
2004027550.tif 000006
【図５】
2004027550.tif 000007
【図６】
2004027550.tif 000008